(57)【要約】【課題】オーディオシステム及び該オーディオシステムの出力を制御する方法を提供する。【解決手段】このオーディオシステムは、オーディオ信号を有するソースユニットと、オーディオ信号を受信し、該オーディオ信号を相殺するための相殺信号を生成するレシーバーと、オーディオ信号を出力する第１スピーカーと、相殺信号を出力する第２スピーカーと、を含む。【選択図】図３
2010164970.tif 000002
【特許請求の範囲】
【請求項１】
オーディオ信号を有するソースユニットと、
前記オーディオ信号を受信し、前記オーディオ信号を相殺するための相殺信号を生成するレシーバーと、
前記オーディオ信号を出力する第１スピーカーと、
前記相殺信号を出力する第２スピーカーと、
を含むオーディオシステム。
【請求項２】
前記第２スピーカーは、複数のスピーカーからなる、請求項１に記載のオーディオシステム。
【請求項３】
前記オーディオ信号は、マルチチャンネルのオーディオ信号であり、
前記レシーバーは、前記マルチチャンネルのオーディオ信号をダウンミキシングし、該ダウンミキシングされた信号を前記第１スピーカーに伝送する、請求項１に記載のオーディオシステム。
【請求項４】
前記相殺信号は、前記ダウンミキシングされた信号の逆位相信号である、請求項３に記載のオーディオシステム。
【請求項５】
静音モードを設定するモード設定部をさらに含み、
前記レシーバーは、前記静音モードが設定されると、前記相殺信号の生成及び出力を制御する、請求項１に記載のオーディオシステム。
【請求項６】
前記レシーバーは、現在時間をカウントし、カウントされた時間とあらかじめ設定された時間とを比較し、この比較結果に基づいて、前記相殺信号を生成して出力する静音モードを設定する、請求項１に記載のオーディオシステム。
【請求項７】
前記第２スピーカーは、反転フィルター部を有し、前記オーディオ信号の位相を反転させる、請求項１に記載のオーディオシステム。
【請求項８】
前記第２スピーカーは、前記第１スピーカーから出力される音を感知する音感知部と、前記オーディオ信号を相殺する相殺信号を生成する信号処理部と、を有する、請求項１に記載のオーディオシステム。
【請求項９】
前記相殺信号は、前記音感知部により感知されたオーディオ信号の逆位相信号である、請求項８に記載のオーディオシステム。
【請求項１０】
前記オーディオ信号はマルチチャンネルオーディオ信号であり、前記第１スピーカーは、前記マルチチャンネルオーディオ信号のダウンミキシングされた信号を出力するためのメイン部と、前記相殺信号を出力するための補助部とを含む、請求項１に記載のオーディオシステム。
【請求項１１】
現在モードが静音モードか否かを判断し、
現在モードが静音モードであれば、ソースユニットからオーディオ信号を受信すると、前記オーディオ信号を相殺するための相殺信号を生成し、
前記オーディオ信号及び相殺信号を異なるスピーカーから同時に出力する、オーディオシステムの出力制御方法。
【請求項１２】
前記オーディオ信号の出力は、前記オーディオ信号をダウンミキシングし、前記ダウンミキシングされた信号を前記異なるスピーカーのスピーカーに出力することを含む、請求項１１に記載のオーディオシステムの出力制御方法。
【請求項１３】
前記現在モードが静音モードか否かの判断は、モード設定部を通じて静音モードが設定されたか否かを判断することを含む、請求項１１に記載のオーディオシステムの出力制御方法。
【請求項１４】
前記現在モードが静音モードか否かの判断は、現在時間があらかじめ設定された時間であるか否かを判断することを含む、請求項１１に記載のオーディオシステムの出力制御方法。
【請求項１５】
前記相殺信号の生成は、オーディオ信号を出力し、該オーディオ信号を感知し、感知されたオーディオ信号を相殺する相殺信号を生成することを含む、請求項１１に記載のオーディオシステムの出力制御方法。
【発明の詳細な説明】
【技術分野】
【０００１】
本発明は、オーディオシステム及びその出力制御方法に係り、より詳細には、オーディオ信号の出力を制御するためのオーディオシステム及びその出力制御方法に関するものである。
【背景技術】
【０００２】
一般に、オーディオシステムとは、人に聞こえるような音域内の音波、及び該音波を変換した電気信号を扱うシステムのことをいう。このようなオーディオシステムは、ＡＶレシーバー（receiver）とマルチチャンネルのスピーカーとからなり、ここで、ＡＶレシーバーは、ＦＭ／ＡＭラジオ、統合された音を増幅するアンプを有するＣＤプレーヤー、ＤＶＤプレーヤー、カセットデッキなどになりうる。
【０００３】
オーディオシステムは映像機器と連結されてＡＶ（Audio and Visual）システムを構成する。このＡＶシステムは、ＡＶソースからのサウンド信号をデコーディング及び増幅した後、該増幅されたオーディオ信号を出力すると同時に映像信号を出力する。このようなＡＶシステムの一つにホームシアターシステムがある。
【０００４】
ホームシアターは、ＡＶソース機器、ＴＶのような映像機器、ＡＶレシーバー（Audio Video receiver）、及び６個の５．１チャンネル（channel）スピーカーを含む。ここで、ＡＶソース機器には、ＶＣＲ、セットトップボックス、ＤＶＤプレーヤーなどがあり、オーディオ信号をＡＶレシーバーに出力し、映像信号を映像機器に出力する。そして、ＡＶレシーバーは、オーディオ信号をデジタル処理して増幅し、増幅されたオーディオ信号をマルチチャンネルのスピーカーにそれぞれ出力することができる。この時、オーディオ信号を出力する５．１チャンネルのスピーカーは、センター（Center）スピーカーと、左右フロント（front）スピーカーと、左右リア（rear）スピーカーと、ウーファー（woofer）スピーカーとを有する。この時、ホームシアターシステムは、５．１チャンネルの代わりに、それ以上のチャンネル上の音を運ぶスピーカーを利用することも可能である。
【０００５】
このような５．１チャンネルまたはその他のマルチチャンネルのスピーカーを有するオーディオシステムが備えられたホームシアターシステムを用いて深夜に映画を鑑賞する場合、他の人達の睡眠を妨害し、さらにはオフィステル（すなわち、事務室兼用宿舎）やアパートなどでは隣の家に騒音迷惑をかけることになる。しかしながら、このような点を考慮して各チャンネルスピーカーのボリュームレベルを調整すると、５．１チャンネルまたはその他チャンネルのスピーカーを利用することに伴う効果を得ることができない他、ボリュームレベルを過度に下げた場合は、映像機器自在のスピーカーからも音を聞くことができなくなる。
【発明の概要】
【０００６】
本発明の実施例は、上述された欠点及び上述されていない他の欠点を克服することができる。また、本発明は、上述された欠点を克服する必要はなく、本発明の実施例は、上述した欠点のいずれをも克服しなくても良い。
【０００７】
本発明の一側面によれば、オーディオシステムは、オーディオ信号を有するソースユニットと、オーディオ信号を受信し、オーディオ信号を相殺する相殺信号を生成するレシーバーと、オーディオ信号を出力する第１スピーカーと、相殺信号を出力する第２スピーカーと、を含む。
【０００８】
第２スピーカーは、複数のスピーカーから形成される。
【０００９】
オーディオ信号は、マルチチャンネルのオーディオ信号であり、レシーバーは、マルチチャンネルのオーディオ信号をダウンミキシングし、ダウンミキシングされた信号を第１スピーカーに伝送する。
【００１０】
相殺信号は、ダウンミキシングされた信号の逆位相信号である。
【００１１】
上記オーディオシステムは、静音モードを設定するモード設定部をさらに含み、レシーバーは、静音モードが設定されると、相殺信号の生成及び出力を制御する。
【００１２】
レシーバーは、現在時間をカウントし、カウントされた時間とあらかじめ設定された時間とを比較し、該比較結果に基づいて、相殺信号を生成して出力する静音モードを設定する。
【００１３】
本発明の他の側面によれば、オーディオシステムは、オーディオ信号を有するレシーバーと、オーディオ信号を出力する第１スピーカーと、オーディオ信号の位相を反転させる反転フィルター部を有し、反転された信号である相殺信号を出力する第２スピーカーと、を含む。
【００１４】
本発明のさらに他の側面によれば、オーディオシステムは、オーディオ信号を有するレシーバーと、オーディオ信号を出力する第１スピーカーと、第１スピーカーから出力される音を感知する音感知部、及び感知された音を相殺する相殺信号を生成する信号処理部を有し、相殺信号を出力する第２スピーカーと、を含む。
【００１５】
本発明のさらに他の側面によれば、オーディオシステムは、オーディオ信号を出力するスピーカーユニットと、スピーカーユニットから出力される音の信号を感知する音感知部と、感知された音の信号を相殺する相殺信号を生成し、相殺信号をスピーカーユニットに出力するレシーバーと、を含む。
【００１６】
スピーカーユニットは、複数のスピーカーから形成され、オーディオ信号は、複数個のスピーカーのうち、少なくとも一つのスピーカーから出力され、相殺信号は、残りのスピーカーから出力される。
【００１７】
オーディオ信号は、マルチチャンネルのオーディオ信号であり、複数個のスピーカーのうち、少なくとも一つのスピーカーは、マルチチャンネルのオーディオ信号がダウンミキシングされた信号を出力するメイン部と、相殺信号を出力する補助部と、を有する。
【００１８】
相殺信号は、感知された音の信号の逆位相信号である。
【００１９】
上記オーディオシステムは、静音モードを設定するモード設定部をさらに含み、レシーバーは、静音モードが設定されると、相殺信号の生成及び出力を制御する。
【００２０】
レシーバーは、現在時間をカウントし、カウントされた時間があらかじめ設定された時間であれば、相殺信号を生成及び出力する静音モードを設定する。
【００２１】
本発明のさらに他の側面によれば、オーディオシステムの出力方法は、現在モードが静音モードか否かを判断し、静音モードである場合、ソースユニットからオーディオ信号を受信すると、オーディオ信号を相殺する相殺信号を生成し、オーディオ信号と相殺信号を異なるスピーカーから同時に出力する。
【００２２】
オーディオ信号の第１スピーカーへの出力は、オーディオ信号をダウンミキシングし、ダウンミキシングされた信号を第１スピーカーに出力することを含む。
【００２３】
静音モードか否かの判断は、モード設定部を通じて静音モードが設定されたか否かを判断することを含む。
【００２４】
静音モードか否かの判断は、現在時間があらかじめ設定された時間であるか否かを判断することを含む。
【００２５】
本発明のさらに他の側面によれば、オーディオシステムの出力制御方法は、現在モードが静音モードか否かを判断し、静音モードである場合、第１スピーカーを通じてオーディオ信号を出力し、第１スピーカーから出力される音を感知し、感知された音の信号を相殺する相殺信号を生成し、相殺信号を第２スピーカーに出力する。
【００２６】
第１スピーカー及び第２スピーカーは、一つのスピーカーのメイン部及び補助部となりうる。
【発明の効果】
【００２７】
以上から明らかなように、ＴＶあるいはその他の媒体再生時に、オーディオ信号と同じ周波数を有しながら位相が反対である逆位相信号（すなわち、相殺信号）を生成し、オーディオ信号及び逆位相信号を共に出力することによって、ホームシアターの設置されていない空間に音が伝播することを抑え、外部への騒音を遮断できるため、ホームシアター設置空間をユーザ自身だけの空間とすることができる。
【００２８】
また、センタースピーカーのメイン部にオーディオ信号を出力し、センタースピーカーの補助部にオーディオ信号の逆位相信号を出力することによって、オーディオ信号の直進性を高め、再生の満足度を高めることができる他、製品の性能を向上させることができ、かつ、ホームシアターの設置されていない外部空間に音が伝播することを抑えることができる。
【図面の簡単な説明】
【００２９】
【図１】本発明の一実施例によるオーディオシステムを有するホームシアターの構成を示す概略図である。
【図２】オーディオシステム（例えば、図１に示すオーディオシステム）を有するホームシアターの制御ブロック図である。
【図３】本発明の一実施例によるオーディオシステム（例えば、図１に示すオーディオシステム）の出力を制御するフローチャートである。
【図４】本発明の他の実施例によるオーディオシステム（例えば、図１に示すオーディオシステム）を有するホームシアターの構成を示す概略図である。
【図５】オーディオシステム（例えば、図４に示すオーディオシステム）を有するホームシアターの制御ブロック図である。
【図６】本発明の他の実施例によるオーディオシステム（例えば、図４に示すオーディオシステム）におけるセンタースピーカーの概略斜視図である。
【図７】本発明の他の実施例によるオーディオシステム（例えば、図４に示すオーディオシステム）の出力を制御するフローチャートである。
【発明を実施するための形態】
【００３０】
以下、添付図面を参照しつつ、本発明の実施例について詳細に説明する。図面中、同一の構成要素には同一の参照符号を付する。
【００３１】
図１は、本発明の一実施例によるオーディオシステムを有するホームシアターシステムの構成を示す概略図であり、図２は、図１のオーディオシステムのようなオーディオシステムを有するホームシアターシステムの制御ブロック図である。下記の説明では、５．１チャンネルスピーカーを有するオーディオシステムを取り上げて説明する。
【００３２】
図１及び図２を参照すると、オーディオシステムを有するホームシアターシステムは、ＡＶソースユニット１００、ディスプレイユニット２００、ＡＶレシーバー３００及びスピーカーユニット４００を含む。
【００３３】
ＡＶソースユニット１００は、ＰＶＲ（Personal Video Recorder）、ＤＶＤ（Digital Video Disc）プレーヤーまたはセットトップボックス（STB：Set-Top Box）などの機器で、デジタルオーディオまたは映像ストリームが格納されている媒体を読み取り、映像信号をディスプレイユニット２００に伝送し、オーディオ信号をＡＶレシーバー３００に伝送する。
【００３４】
ディスプレイユニット２００は、ＡＶソースユニット１００から受信した圧縮された映像信号を解凍し、解凍された映像信号を画面に表示する。
【００３５】
ＡＶレシーバー３００は、ＡＶソースユニット１００から受信した圧縮されたオーディオ信号を解凍し、それを複数のスピーカーにそれぞれ伝送する。このＡＶレシーバー３００は、オーディオ信号の出力を制御する制御部３１０、オーディオ信号を出力する第１出力部３２０、及びオーディオ信号の逆位相信号を出力する第２出力部３３０を含む。これについてより具体的に説明すると、下記の通りである。
【００３６】
制御部３１０は、現在モードが一般モードなのか、夜間静音（NNC：Night Noise Canceling）モードなのか判断する。本実施例が“夜間”静音モードについて述べるとき、本発明が、狭義のまたは文字通りの“夜間”という言葉の解釈に限定されないことに注意されたい。すなわち、本発明は、ここで説明されるように、“夜間”のみにおける静音モードの具現に限定されるわけではない。現在モードが一般モードであれば、制御部３１０は、ＡＶソースユニット１００から受信した複数のチャンネル（すなわち、５．１チャンネル）のオーディオ信号を、第１出力部３２０に伝送する。この第１出力部３２０は、せりふなどの人間の声に対応するオーディオ信号をセンタースピーカー４１０に伝送し、音楽と効果音などの音響効果に対応するオーディオ信号を左右フロントスピーカー４２０，４３０に伝送し、効果音、立体音及び背景音に対応するオーディオ信号を左右リアスピーカー４４０，４５０に伝送し、中低音に対応するオーディオ信号をウーファースピーカー４６０に伝送する。
【００３７】
そして、現在モードが夜間静音モードであれば、制御部３１０は、ＡＶソースユニット１００から受信した複数のチャンネル（すなわち、５．１チャンネル）のオーディオ信号をダウンミキシングし、ダウンミキシングされた信号を第１出力部３２０に伝送する。この第１出力部３２０は、ダウンミキシングされた信号を第１スピーカーなるセンタースピーカー４１０に伝送する。そして、制御部３１０は、ダウンミキシングされた信号の位相を反転させて相殺信号を生成し、生成された相殺信号を第２出力部３３０に伝送する。この第２出力部３３０は、相殺信号を第２スピーカーなる左右フロントスピーカー４２０，４３０と左右リアスピーカー４４０，４５０に出力する。そして、ウーファースピーカー４６０はミュート（MUTE）状態に維持させる。これにより、夜間静音モードは、静かで快適な雰囲気を維持することができる。
【００３８】
スピーカーユニット４００は、５．１チャンネルのオーディオ信号を出力するマルチチャンネルのスピーカーからなる。このマルチチャンネルのスピーカーは、ディスプレイユニット２００の前面中央に設置されるセンター（center）スピーカー４１０、ディスプレイユニット２００の左右にそれぞれ設置されるフロント（front）スピーカー４２０，４３０、ユーザの背後に設置される左右リア（rear）スピーカー４４０，４５０、及びウーファー（woofer）スピーカー４６０を含む。
【００３９】
一般モードにおいて、第１スピーカーなるセンタースピーカー４１０は、映画上から鮮明なせりふを出力し、第２スピーカーなる左右フロントスピーカー４２０，４３０は、ミュージカルスコア、若干のせりふ及び様々な音響効果を出力し、自然的で広い舞台感が形成されるようにし、他の第２スピーカーなる左右リアスピーカー４４０，４５０は、フロントスピーカー４２０，４３０から出力される音に対する追加の効果音、立体音、背景音を出力し、生き生きとした感動を与える。そして、ウーファースピーカー４６０は、中低音を出力し、フロントスピーカー４２０，４３０と互いに交わり合って迫力と躍動感を与える。
【００４０】
夜間静音モードで、第１スピーカーであるセンタースピーカー４１０は、５．１チャンネルのオーディオ信号がダウンミキシングされた信号を出力し、第２スピーカーである左右フロントスピーカー４２０，４３０と左右リアスピーカー４４０，４５０は、ダウンミキシングされた信号の逆位相信号（すなわち、相殺信号）を出力する。
【００４１】
このセンタースピーカー４１０は、メイン部及び補助部を有し、メイン部は、せりふなどの人間の声を除外した４．１チャンネル（一般モード時に、左右リアスピーカー４４０，４５０と左右フロントスピーカー４２０，４３０から出力されるオーディオ信号）がダウンミキシングされた信号を出力し、補助部は、せりふなどの人間の声に対応する信号（一般モード時に、センタースピーカー４１０から出力されるオーディオ信号）を出力する。
【００４２】
このオーディオシステムは、ユーザの選択によって現在モードを夜間静音モードに設定できるようにモード設定部（図示せず）をさらに含むことができる。または、ＡＶレシーバー３００を通じて、現在時間をカウントし、カウントされた現在時間とあらかじめ設定された時間とを比較し、現在時間があらかじめ設定された時間であると、現在モードを夜間静音モードに設定することも可能である。
【００４３】
本発明の他の実施例によるオーディオシステムにおいて、ＡＶレシーバー３００は、オーディオ信号の出力を制御する制御部３１０、オーディオ信号を出力する第１及び第２出力部３２０，３３０、及びオーディオ信号の位相を反転させる反転フィルター部（図示せず）を含む。これについてより具体的に説明すると、下記の通りである。
【００４４】
制御部３１０は、マルチチャンネルのオーディオ信号をダウンミキシングする。第２出力部３３０は、制御部３１０から受信したダウンミキシングされた信号を、反転フィルター部に伝送する。すると、ダウンミキシングされた信号は、反転フィルター部を通りながら反転されて逆位相信号（すなわち、相殺信号）となり、この相殺信号は、第２スピーカーである左右フロントスピーカー４２０，４３０と左右リアスピーカー４４０，４５０に出力される。ここで、反転フィルター部（図示せず）は、左右フロントスピーカー４２０，４３０と左右リアスピーカー４４０，４５０にそれぞれ設けられたり、ＡＶレシーバー３００に設けられたりする。この場合、当該逆位相信号を位相反転プロセシング無しにそのまま出力することによって、逆位相信号の出力時間を最小化することができる。
【００４５】
図３は、本発明の一実施例による図１のオーディオシステムの出力を制御するフローチャートであり、図１及び図２を参照して説明する。
【００４６】
まず、ＰＶＲ（Personal Video Recorder）、ＤＶＤ（Digital Video Disc）プレーヤーまたはセットトップボックス（STB：Set-Top Box）などのＡＶソースユニット１００からオーディオ信号を受信すると、制御部３１０は、現在モードが一般モードなのか夜間静音モードなのかを判断した後、判断結果に対応する信号を第１出力部３２０及び第２出力部３３０に伝送する。一方、ディスプレイユニット２００は、ＡＶソースユニット１００から受信した圧縮された映像信号を解凍して画面に表示する。
【００４７】
特に、現在モードが一般モードである場合、ＡＶレシーバー３００は、ＡＶソースユニット１００から受信した圧縮されたオーディオ信号を解凍し、解凍されたオーディオ信号を第１出力部３２０に伝送する。この第１出力部３２０は、各スピーカーを通じてオーディオ信号を出力する。この時、第１スピーカーであるセンタースピーカー４１０は、鮮明なせりふを出力し、ウーファースピーカー４６０は中低音を出力し、左右フロントスピーカー４２０，４３０は様々な音響効果を出力し、左右リアスピーカー４４０，４５０は、フロントスピーカー４２０，４３０から出力される音に対する追加の効果音、立体音、背景音を出力する。
【００４８】
一方、現在モードが夜間静音モード５０１である場合、ＡＶレシーバー３００は、ステップ５０２において、ＡＶソースユニット１００から受信した圧縮されたオーディオ信号を解凍し、解凍されたオーディオ信号をダウンミキシングし、ステップ５０３において、ダウンミキシングされた信号を第１出力部３２０に伝送し、ダウンミキシングされた信号の位相を反転させて相殺信号を生成した後、生成された相殺信号を第２出力部３３０に伝送する。
【００４９】
これにより、ステップ５０４において、第１スピーカーであるセンタースピーカー４１０にダウンミキシングされた信号が出力され、第２スピーカーである左右フロントスピーカー４２０，４３０と左右リアスピーカー４４０，４５０に相殺信号が出力される。
【００５０】
この時、センタースピーカー４１０は、メイン部及び補助部を有し、メイン部は、せりふなどの人間の声を除外した４．１チャンネル（一般モード時に左右リアスピーカーと左右フロントスピーカーから出力される信号）がダウンミキシングされた信号を出力し、補助部は、せりふなどの人間の声に対応する信号（一般モード時にセンタースピーカーから出力される信号）を出力する。
【００５１】
このように、ＴＶあるいはその他の媒体再生時に、オーディオ信号と同じ周波数を有しながら位相が反対である逆位相信号（すなわち、相殺信号）を生成し、オーディオ信号と逆位相信号を共に出力することによってオーディオ信号を相殺させることができ、その結果、ホームシアターが設置されていない空間に音が伝播することを抑えることができ、オーディオ信号の直進性の向上により再生の満足度を高めることができる他、製品の性能を向上させることができる。すなわち、媒体の再生により発生する騒音の外部への漏れを防止する他、外部からの騒音の流入も遮断できるため、ホームシアター設置空間をユーザ自身だけの空間とすることができる。
【００５２】
図４は、本発明の他の実施例によるオーディオシステムを有するホームシアターの構成を示す概略図であり、図５は、図４のオーディオシステムを有するホームシアターの制御ブロック図である。また、図６は、図４のオーディオシステムにおけるセンタースピーカーの概略斜視図である。ここで、オーディオシステムは５．１チャンネルスピーカーを有するオーディオシステムとして説明する。
【００５３】
ＡＶソースユニット１００は、ＰＶＲ、ＤＶＤプレーヤーまたはセットトップボックス（ＳＴＢ）などの機器で、デジタルオーディオまたは映像ストリームが格納されている媒体を読み取り、映像信号をディスプレイユニット２００に伝送し、オーディオ信号をＡＶレシーバー３００に伝送する。
【００５４】
ディスプレイユニット２００は、ＡＶソースユニット１００から受信した圧縮された映像信号を解凍し、解凍された映像信号を画面に表示する。
【００５５】
ＡＶレシーバー３００は、ＡＶソースユニット１００から受信した圧縮されたオーディオ信号を解凍し、それを複数のスピーカーにそれぞれ伝送する。このＡＶレシーバー３００は、制御部３１０、第１出力部３２０、及び第２出力部３３０を含む。これについてより具体的に説明すると、下記の通りである。
【００５６】
制御部３１０は、現在モードが一般モードなのか、夜間静音（ＮＮＣ）モードなのか判断する。現在モードが一般モードであれば、制御部３１０は、ＡＶソースユニット１００から受信した複数のチャンネル（すなわち、５．１チャンネル）のオーディオ信号を、第１出力部３２０に伝送する。
【００５７】
もし、現在モードが夜間静音モードであれば、制御部３１０は、ＡＶソースユニット１００から受信した複数のチャンネル（すなわち、５．１チャンネル）のオーディオ信号をダウンミキシングし、ダウンミキシングされた信号を第１出力部３２０に伝送する。この第１出力部３２０は、ダウンミキシングされた信号を第１スピーカーなるセンタースピーカー４１０のメイン部４１１に伝送する。そして、制御部３１０は、音感知部４２１，４３１，４４１，４５１で感知された音の信号を受信し、感知された音の信号の位相を反転させて相殺信号を生成し、生成された相殺信号を第２出力部３３０に伝送する。この第２出力部３３０は、相殺信号を第１スピーカーなるセンタースピーカー４１０の補助部４１２に出力する。そして、ウーファースピーカー４６０はミュート（MUTE）状態に維持させる。
【００５８】
スピーカーユニット４００は、５．１チャンネルのオーディオ信号を出力するマルチチャンネルのスピーカーからなる。このマルチチャンネルのスピーカーは、ディスプレイユニット２００の前面中央に設置されるセンタースピーカー４１０、ディスプレイユニット２００の左右にそれぞれ設置されるフロントスピーカー４２０，４３０、ユーザの背後に設置される左右リアスピーカー４４０，４５０、及びウーファースピーカー４６０を含む。そして、センタースピーカー４１０は、図６に示すように、メイン部４１１と補助部４１２を有し、左右フロントスピーカー４２０，４３０と左右リアスピーカー４４０，４５０はそれぞれ音感知部４２１，４３１，４４１，４５１を有する。
【００５９】
一般モードにおいて、第１スピーカーであるセンタースピーカー４１０は、フロントスピーカー４２０，４３０の間で映画上から鮮明なせりふを出力する。このセンタースピーカー４１０は、図６に示すように、メイン部４１１及び補助部４１２を有し、メイン部４１１及び補助部４１２からせりふなどの人間の声を出力する。そして、第２スピーカーである左右フロントスピーカー４２０，４３０は、ミュージカルスコアや若干のせりふ及び様々な音響効果を出力し、自然的で広い舞台感が形成されるようにし、他の第２スピーカーである左右リアスピーカー４４０，４５０は、フロントスピーカー４２０，４３０から出力される音に対する追加の効果音、立体音、背景音を出力し、生き生きとした感動を与える。そして、ウーファースピーカー４６０は、中低音を出力し、フロントスピーカー４２０，４３０と互いに交わり合って迫力と躍動感を与える。
【００６０】
夜間静音モードにおいて、第１スピーカーであるセンタースピーカー４１０は、５．１チャンネルのオーディオ信号がダウンミキシングされた信号をメイン部４１１を通じて出力し、これにより、左右フロントスピーカー４２０，４３０と左右リアスピーカー４４０，４５０にそれぞれ設けられる音感知部４２１，４３１，４４１，４５１が作動し、センタースピーカー４１０のメイン部４１１から出力される音及び室内空間の音を感知し、感知された音の信号を制御部３１０に伝送し、センタースピーカー４１０の補助部４１２は相殺信号を出力する。この時、第２スピーカーである左右フロントスピーカー４２０，４３０と左右リアスピーカー４４０，４５０はミュート状態であり、ウーファースピーカー４６０もミュート状態である。ここで、音感知部４２１，４３１，４４１，４５１は、マイクロホンのような音を感知するセンサーである。
【００６１】
このオーディオシステムは、ユーザの選択によって現在モードを夜間静音モードに設定できるようにモード設定部をさらに含むことができる。または、ＡＶレシーバー３００を通じて、現在時間をカウントし、カウントされた現在時間とあらかじめ設定された時間とを比較し、現在時間があらかじめ設定された時間であると、現在モードを夜間静音モードに設定することも可能である。
【００６２】
夜間静音モードでは、ホームシアター設置空間以外の空間に音が伝播することを防止しなければならないが、センタースピーカーのメイン部４２１から出力される音を音感知部４２１，４３１，４４１，４５１を通じて感知するとき、センタースピーカーと各リアスピーカー及びフロントスピーカーとの距離によって、それぞれ異なる音の信号が感知されることがあり、したがって、この距離を考慮して相殺信号を生成しなければならない。
【００６３】
すなわち、センタースピーカー４１０とリアスピーカー４４０，４５０との距離及びセンタースピーカー４１０とフロントスピーカー４２０，４３０との距離を、センタースピーカー４１０からミキシングされた信号が出力された時間と、この信号を感知した時間との差によって算出したり、位置センサーを用いて算出したりし、この算出された距離を考慮して相殺信号を生成する。
【００６４】
本発明のさらに他の実施例によるオーディオシステムは、ＡＶレシーバー３００及びスピーカーユニット４００を含み、スピーカーユニット４００は複数のスピーカーを有し、各スピーカーは音感知部をそれぞれ備えている。このＡＶレシーバー３００は、制御部３１０、第１出力部３２０、第２出力部３３０を含む。これについてより具体的に説明すると、下記の通りである。
【００６５】
制御部３１０は、夜間静音モードにおいて、ＡＶソースユニット１００から受信したマルチチャンネル（すなわち、５．１チャンネル）のオーディオ信号をダウンミキシングし、第１出力部３２０は、制御部３１０から受信したダウンミキシングされた信号を、第１スピーカーであるセンタースピーカー４１０に伝送する。そして、制御部３１０は、音感知部４２１，４３１，４４１，４５１により感知された音の信号を受信し、感知された音の信号の位相を反転させて相殺信号を生成し、相殺信号を第２出力部３３０に出力する。この第２出力部３３０は、相殺信号を第２スピーカーである左右フロントスピーカー４２０，４３０及び左右リアスピーカー４４０，４５０にそれぞれ出力する。
【００６６】
本発明のさらに他の実施例によるオーディオシステムは、ＡＶレシーバー３００及びスピーカーユニット４００を含み、スピーカーユニット４００は複数のスピーカーを有し、各スピーカーは、音感知部と信号処理部（図示せず）を備えている。これについてより具体的に説明すると、下記の通りである。
【００６７】
ＡＶレシーバー３００は、夜間静音モードにおいて、ＡＶソースユニット１００から受信したマルチチャンネル（すなわち、５．１チャンネル）のオーディオ信号をダウンミキシングし、ダウンミキシングされた信号を第１スピーカーであるセンタースピーカー４１０に伝送する。
【００６８】
左右フロントスピーカー４２０，４３０及び左右リアスピーカー４４０，４５０は、音感知部４２１，４３１，４４１，４５１により感知された音の信号を受信し、感知された音の信号の位相を信号処理部（図示せず）で反転させて相殺信号を生成した後、これらの相殺信号を出力する。
【００６９】
ホームシアターシステムの設置空間で音感知部により感知された音の逆位相信号が出力されるため、ユーザに直接達する音に対する相殺効率を高めることができる。
【００７０】
図７は、本発明の他の実施例によるオーディオシステム（例えば、図４のオーディオシステム）の出力を制御する方法を示すフローチャートであり、図４及び図６を参照して説明する。
【００７１】
まず、ＰＶＲ、ＤＶＤプレーヤーまたはセットトップボックスなどのようなＡＶソースユニット１００からオーディオ信号を受信すると、制御部３１０は、現在モードが一般モードなのか、夜間静音モードなのかを判断した後、判断結果に対応する信号を第１出力部３２０及び第２出力部３３０に伝送する。一方、ディスプレイユニット２００は、ＡＶソースユニット１００から受信した圧縮された映像信号を解凍し、解凍されたオーディオ信号を画面に表示する。
【００７２】
特に、現在モードが一般モードである場合、ＡＶレシーバー３００は、ＡＶソースユニット１００から受信した圧縮されたオーディオ信号を解凍し、解凍されたオーディオ信号を第１出力部３２０に出力する。この第１出力部３２０は、各スピーカーを通じてオーディオ信号を出力する。第１スピーカーであるセンタースピーカー４１０のメイン部４１１と補助部４１２は、鮮明なせりふを出力し、ウーファースピーカー４６０は中低音を出力し、左右フロントスピーカー４２０，４３０は、様々な音響効果を出力し、左右リアスピーカー４４０，４５０は、フロントスピーカー４２０，４３０から出力される音に対する追加の効果音、立体音、背景音を出力する。
【００７３】
一方、ステップ６０１で、現在モードが夜間静音モードと判断されると、ステップ６０２で、ＡＶレシーバー３００は、ＡＶソースユニット１００から受信した圧縮されたオーディオ信号を解凍し、解凍されたオーディオ信号をダウンミキシングし、ダウンミキシングされた信号を第１出力部３２０に伝送する。続いて、ステップ６０３で、第１出力部３２０は、ダウンミキシングされた信号をセンタースピーカー４１０のメイン部４１１に伝送し、これにより、メイン部４１１は、ダウンミキシングされた信号を出力する。
【００７４】
そして、左右フロントスピーカー４２０，４３０と左右リアスピーカー４４０，４５０にそれぞれ設けられた音感知部４２１，４３１，４４１，４５１が作動し、センタースピーカー４１０のメイン部４１１から出力される音を感知し（ステップ６０４）、感知された音の信号を反転させて相殺信号を生成する（ステップ６０５）。そして、第２出力部３３０は相殺信号をセンタースピーカー４１０の補助部４１２に伝送し、補助部４１２は、相殺信号を出力する（ステップ６０６）。ここで、第２スピーカーである左右フロントスピーカー４２０，４３０と左右リアスピーカー４４０，４５０は、ミュート状態であり、ウーファースピーカー４６０もミュート状態である。
【００７５】
このように、ＴＶあるいはその他の媒体再生時に、オーディオ信号と同じ周波数を有しながら位相が反対である逆位相信号（すなわち、相殺信号）を生成し、オーディオ信号と逆位相信号を共に出力することによってオーディオ信号を相殺させることができ、その結果、ホームシアターが設置されていない空間に音が伝播することを抑えることができ、オーディオ信号の直進性の向上により再生の満足度を高めることができる他、製品の性能を向上させることができる。すなわち、媒体の再生により発生する騒音の外部への漏れを防止する他、外部からの騒音の流入も遮断できるため、ホームシアター設置空間をユーザ自身だけの空間とすることができる。
【００７６】
なお、センタースピーカーの補助部に逆位相信号（相殺信号）を出力することによって、センタースピーカーの直進性を高めることができ、かつ、ホームシアターが設置されていない外部空間に音が伝播することを抑えることができる。
【００７７】
以上では本発明の好適な実施例を図示及び説明してきたが、これらの実施例は、本発明の属する技術分野における通常の知識を有する者にとっては、本発明の思想及び原理を逸脱しない限度内で様々に改変できることが明らかであり、よって、本発明の思想は、添付の請求項及びそれらの等価範囲で定められるべきである。
【符号の説明】
【００７８】
１００    ＡＶソースユニット
２００    ディスプレイユニット
３００    ＡＶレシーバー
４００    スピーカーユニット
４１１    メイン部
４１２    補助部
４２１，４３１，４４１，４５１    音感知部
【図１】
2010164970.tif 000003
【図２】
2010164970.tif 000004
【図３】
2010164970.tif 000005
【図４】
2010164970.tif 000006
【図５】
2010164970.tif 000007
【図６】
2010164970.tif 000008
【図７】
2010164970.tif 000009